(57)【要約】【課題】認知性が高く、同時に複数人がアクセス可能で、しかも宣伝効果が高い情報提供体およびそれを用いた情報提供方法を提供する。【解決手段】情報を保持しているカラー化されたコードからなる主部ＩＭと、主部ＩＭにアクセスを誘引するキャッチフレーズを含む附属部ＩＳとを備えた情報提供体Ｉで、少なくとも主部ＩＭが巨大化され、その情報提供体Ｉを垂れ幕１０などの情報提供媒体に具現化して情報提供をなすものである。【選択図】図１
2008084093.tif 000002
【特許請求の範囲】
【請求項１】
情報を保持しているカラー化されたコードからなる主部と、前記主部にアクセスを誘引する情報を含む附属部とを備え、
少なくとも前記主部が巨大化されてなることを特徴とする情報提供体。
【請求項２】
主部が誘導促進体を有してなることを特徴とする請求項１記載の情報提供体。
【請求項３】
コードデータが記号または文字に形成されてなることを特徴とする請求項１記載の情報提供体。
【請求項４】
請求項１ないし３のいずれか一項に記載の情報提供体を情報提供媒体に塗装により具現化して情報を提供することを特徴とする情報提供方法。
【請求項５】
情報提供媒体が、広告塔、壁面、ショウウインドウ、窓ガラス、車両または航空機とされてなることを特徴とする請求項４記載の情報提供方法。
【請求項６】
請求項１ないし３のいずれか一項に記載の情報提供体を情報提供媒体に印刷により具現化し、その情報提供媒体を所定の場所に配置して情報を提供することを特徴とする情報提供方法。
【請求項７】
情報提供媒体が垂れ幕または横断幕とされ、前記所定の場所が野球場、球技場、建設現場またはビルとされてなることを特徴とする請求項６記載の情報提供方法。
【請求項８】
垂れ幕または横断幕が、メッシュ状素材からなることを特徴とする請求項７記載の情報提供方法。
【請求項９】
情報提供媒体が透明シートとされ、前記所定の場所がショウウインドウまたは窓ガラスとされてなることを特徴とする請求項６記載の情報提供方法。
【請求項１０】
請求項１ないし３のいずれか一項に記載の情報提供体を映像化し、その映像を大型カラー表示装置に表示して情報を提供することを特徴とする情報提供方法。
【請求項１１】
請求項１ないし３のいずれか一項に記載の情報提供体を映像化し、その映像を映写機により大型スクリーンに映写して情報を提供することを特徴とする情報提供方法。
【請求項１２】
塗料が光吸収型とされてなることを特徴とする請求項４または６記載の情報提供方法。
【発明の詳細な説明】
【技術分野】
【０００１】
本発明は、情報提供体およびそれを用いた情報提供方法に関する。さらに詳しくは、ＱＲコード（登録商標）などを利用した認知性およびアクセス性が向上された情報提供体およびそれを用いた情報提供方法に関する。
【背景技術】
【０００２】
従来より、多くの情報を提供できしかも一部に破損があっても読み取りが可能であるところからＱＲコードが利用されている。例えば、工場での出荷管理、携帯電話での読み取り、商品情報の提供などにＱＲコードが利用されている。
【０００３】
しかしながら、現在利用されているＱＲコードは、サイズが数センチ角であるところから、次のような問題がある。
【０００４】
ａ）一つのＱＲコードにつき一人しかアクセスができず、複数人が同時にアクセスできないため、アクセス性が悪いという。
【０００５】
ｂ）小さいため気づかれない。
【０００６】
ｃ）小さいため宣伝効果が小さい。
【０００７】
ｄ）アクセス誘導効果が小さい。
【０００８】
ｅ）色彩等がデザイン性に欠ける。
【０００９】
ｆ）単純模様であるために無視されやすい。
【発明の開示】
【発明が解決しようとする課題】
【００１０】
本発明はかかる従来技術の課題に鑑みなされたものであって、認知性が高く、同時に複数人がアクセス可能で、しかも宣伝効果が高い情報提供体およびそれを用いた情報提供方法を提供することを目的としている。
【課題を解決するための手段】
【００１１】
本発明の情報提供体は、情報を保持しているカラー化されたコードからなる主部と、前記主部にアクセスを誘引する情報を含む附属部とを備え、少なくとも前記主部が巨大化されてなることを特徴とする。
【００１２】
本発明の情報提供体においては、主部が誘導促進体を有してなるのが好ましい。
【００１３】
また、本発明の情報提供体においては、コードデータが記号または文字に形成されてなるのが好ましい。
【００１４】
本発明の情報提供方法の第１形態は、前記情報提供体を情報提供媒体に塗装により具現化して情報を提供することを特徴とする。
【００１５】
本発明の情報提供方法の第１形態においては、情報提供媒体が、例えば、広告塔、壁面、ショウウインドウ、窓ガラス、車両、航空機などとされる。
【００１６】
本発明の情報提供方法の第２形態は、前記情報提供体を情報提供媒体に印刷により具現化し、その情報提供媒体を所定の場所に配置して情報を提供することを特徴とする。
【００１７】
本発明の情報提供方法の第２形態においては、情報提供媒体が例えば垂れ幕や横断幕とされ、前記所定の場所が例えば野球場、球技場、建設現場、ビルなどとされる。その場合、垂れ幕や横断幕が、メッシュ状素材からなるのが好ましい。
【００１８】
また、本発明の情報提供方法の第２形態においては、情報提供媒体が例えば透明シートとされ、前記所定の場所が例えばショウウインドウや窓ガラスなどとされてもよい。
【００１９】
本発明の情報提供方法の第３形態は、前記情報提供体を映像化し、その映像を大型カラー表示装置に表示して情報を提供することを特徴とする。
【００２０】
本発明の情報提供方法の第４形態は、前記情報提供体を映像化し、その映像を映写機により大型スクリーンに映写して情報を提供することを特徴とする。
【００２１】
本発明の情報提供方法においては、塗料が光吸収型とされてなるのが好ましい。
【発明の効果】
【００２２】
本発明は前記の如く構成されているので、認知性が高く、同時に複数人がアクセス可能で、しかも宣伝効果が高いという優れた効果を奏する。
【発明を実施するための最良の形態】
【００２３】
以下、添付図面を参照しながら本発明を実施形態に基づいて説明するが、本発明はかかる実施形態のみに限定されるものではない。
【００２４】
実施形態１
本発明の実施形態１に係る情報提供体を図１に概略図で示す。
【００２５】
情報提供体Ｉは、図１に示すように、提供しようとする情報を保持しているＱＲコード（主部ＩＭ）と、公衆にアクセスを促すためのキャッチフレーズや情報提供会社の名称などを表示する附属部ＩＳとを主要構成要素として備えてなるものとされ、例えば垂れ幕（情報提供媒体）１０（図２参照）のＱＲコード領域１１にＱＲコードが印刷され、キャッチフレーズ領域１２にキャッチフレーズが印刷され、情報提供会社表示領域１３に情報提供会社の名称などが印刷されて、情報提供体Ｉが具現化される。
【００２６】
また、ＱＲコード内には、誘導促進体、例えばシンボルマークなどが配設されている。つまり、ＱＲコード領域１１内にシンボルマーク領域１４が設けられて、その領域１４にシンボルマークが印刷されている。このシンボルマーク領域１４のサイズは、表示されるＱＲコードの読み取りに支障のないサイズとされている。
【００２７】
なお、図１においては、説明の便宜上、各領域１１，１２，１３，１４は四角で囲まれているが、各領域１１，１２，１３，１４は必ずしも四角である必要はなく、実質上、例えばＱＲコードが印刷されている領域がＱＲコード領域１１とされ、キャッチフレーズが印刷されている領域がキャッチフレーズ領域１２とされる。このことは、以下の説明において同様である。
【００２８】
情報提供体Ｉは、より具体的には、図２および図３に示すように、プロ野球球団、広島カープの情報を携帯電話により提供するカープ携帯サイトの集客用のものとされ、例えば広島市民球場の入口にセットされる。そのため、ＱＲコード１には、例えばカープ携帯サイトのホームページのアドレスが埋め込まれている。
【００２９】
ここで、図上では明瞭ではないが、ＱＲコード１は複数色を用いたカラー印刷により構成されているので、従来の白黒によるＱＲコードに比して解読性能が向上されている。また、用いる色が多ければ多いほど解読性能が向上するところから、数十色により印刷がなされるようにされてもよい。その上、使用する塗料は、太陽光による解像度の低下を回避する観点から、光吸収型の塗料とされるのが好ましい。
【００３０】
ＱＲコード１のサイズは、従来のものが数センチ角とされているのに対し、この実施形態１では数メートル角から数十メートル角とされている。ＱＲコード１のサイズをこのように巨大化するのは、従来のＱＲコードのイメージを一新して認知度および注目度を高めるためである。また、巨大化すれば同時に多数の人がアクセスすることができるようになるので、これも巨体化する理由の一つである。
【００３１】
なお、本明細書では、このようにサイズが巨大化されたＱＲコード１を「巨大ＱＲコード」ということにする。
【００３２】
垂れ幕１０は、所望の平面度が確保され印刷された巨大ＱＲコード１を携帯電話で読み取ることができるよう、図４に矢符で示すように、上下および左右方向から引張支持されるとともに、対角線方向からも引張支持されている。また、下部に適度な錘１５が懸垂されて重力による安定性も確保するようにされている。
【００３３】
垂れ幕１０のサイズは、ＱＲコード１、キャッチフレーズや情報提供会社の名称などが印刷できれものであればよく、また材質もビニール系、テトロン系など従来より垂れ幕に使用されている各種素材を好適に用いることができる。
【００３４】
このように、実施形態１によれば、ＱＲコード１を巨大ＱＲコード１としているので、話題性および宣伝性に富み、かつ、同時に複数人のアクセスが可能となる。また、複数色を用いて巨大ＱＲコード１が作成されているので、解読性能およびデザイン性が向上する。さらに、情報提供体Ｉには、キャッチフレーズなどが含まれているので、アクセス誘引性（アクセス誘導効果）および注目度が向上し無視されるおそれはほとんどない。
【００３５】
なお、情報提供媒体は、垂れ幕１０に代えて横断幕とされてもよい。また、垂れ幕１０は、野球場のほかに各種球戯場、建設現場やビルの壁面にセットされてもよい。
【００３６】
実施形態２
本発明の実施形態２に係る情報提供媒体の要部拡大図を図５に示す。この実施形態２は実施形態１を改変してなるものであって、垂れ幕１０Ａの素材をメッシュ状素材としてなるものとされる。このため、実施形態２において、風力の影響が軽減されＱＲコードを含む情報提供体のサイズを実施形態１に比してより巨体化でき、アクセス誘因性（アクセス誘導効果）や話題性などがより向上する。
【００３７】
なお、実施形態２のその余の構成および作用・効果は実施形態１と同様とされている。
【００３８】
実施形態３
本発明の実施形態３を図６に示す。この実施形態３は実施形態１を改変してなるものであって、情報提供体Ｉを映像化して具現化し、その映像化された情報提供体Ｉを情報提供媒体に大型カラー液晶表示装置や大型カラー電光表示装置などの大型カラー表示装置２０を用いて画像表示して情報を提供するものとされる。つまり、大型カラー液晶表示装置や大型カラー電光表示装置などの大型カラー表示装置２０に、映像化された巨大ＱＲコードなどを含む情報提供体Ｉを表示することにより情報提供がなされる。
【００３９】
このため、大型カラー液晶表示装置や大型カラー電光表示装置などの大型カラー表示装置２０は、例えば、建物壁面、屋外広告看板や屋上広告塔などに設置されるものとされる。
【００４０】
このように、実施形態３においては、情報提供媒体を大型カラー液晶表示装置や大型カラー電光表示装置などの大型カラー表示装置２０としているので、表示面の平滑度の確保が容易で、しかも設置も容易である。また、大型カラー液晶表示装置や大型カラー電光表示装置などの大型カラー表示装置２０は、自身が発光しているので、夜間においてもアクセスが可能であるという実施形態１，２では得られない作用・効果も得られる。
【００４１】
実施形態４
本発明の実施形態４を図７に示す。この実施形態４は実施形態３を改変してなるものであって、スクリーン３０に映写機３１によりＱＲコードなどを含む映像化された情報提供体を映写することにより情報提供をなすものとされる。この実施形態４のその余の構成および作用・効果は実施形態３と同様とされている。図中の符号３２は、携帯電話を示す。
【００４２】
実施形態５
本発明の実施形態５を図８に示す。この実施形態５は実施形態１を改変してなるものであって、情報提供媒体を透明ビニールシート４０とし、それをショウウインドウ４１などに貼付して具現化してなるものとされる。
【００４３】
このように、この実施形態５では、情報提供媒体を透明ビニールシート４０とし、それをショウウインドウ４１などに貼付してなるものとされているので、所望の平面度が当初より確保されている。そのため、施工が容易であるという実施形態１，２では得られない作用・効果が得られる。また、設置される場所がショウウインドウ４１などであるため、当初より注目度が高いという利点も有している。
【００４４】
なお、ショウウインドウ４１など代えてビルの窓とされてもよい。
【００４５】
実施形態６
本発明の実施形態６を図９に示す。この実施形態６は実施形態１を改変してなるものであって、情報提供媒体を壁面５０とし、それに塗装によりＱＲコードなど表示して情報提供体Ｉを具現化してなるものとされる。
【００４６】
このように、この実施形態６では、情報提供媒体を壁面５０とし、それに塗装によりＱＲコードなど表示して情報提供体Ｉを具現化しているので、所望の平面度が当初より確保されている。そのため、施工が容易であるという実施形態１，２では得られない作用・効果が得られる。また、風圧の影響を考慮する必要がないので、実施形態２に比してより巨体化できる。
【００４７】
実施形態７
本発明の実施形態７を図１０に示す。この実施形態７は実施形態１を改変してなるものであって、ＱＲコード１内をデザイン化してなるものとされる。つまり、コードデータによりを記号や文字２を形成してなるものとされる。
【００４８】
このように、この実施形態７では、コードデータによりを記号や文字２を形成しているので、ＱＲコード１自体により情報提供者のシンボルマークを表示できるという実施形態１では得られない作用・効果が得られる。
【００４９】
以上、本発明を実施形態に基づいて説明してきたが、本発明かかかる実施形態の形態のみに限定されるものではなく、種々改変が可能である。例えば、バスの車体、航空機の機体や翼などに塗装することによりＱＲコードなどの情報提供体を具現化するようにしてもよい。
【産業上の利用可能性】
【００５０】
本発明は、ＱＲコードなどを含む情報提供体を用いた情報提供に適用できる。
【図面の簡単な説明】
【００５１】
【図１】本発明の実施形態１に係る情報提供体の概略図である。
【図２】同情報提供体の一例のイメージ図である。
【図３】同情報提供体を具現化した垂れ幕を広島市民球場の入口に設置した状態のイメージ図である。
【図４】同垂れ幕の引張支持方法の一例の説明図である。
【図５】本発明の実施形態２に係る垂れ幕の要部拡大図である。
【図６】本発明の実施形態３の概略図である。
【図７】本発明の実施形態４の概略図である。
【図８】本発明の実施形態５の概略図である。
【図９】本発明の実施形態６の概略図である。
【図１０】本発明の実施形態７の要部概略図である。
【符号の説明】
【００５２】
Ｉ        情報提供体
ＩＭ      主部
ＩＳ      附属部
１        ＱＲコード、巨大ＱＲコード
２        記号、文字
１０        垂れ幕
１１        ＱＲコード領域
１２        キャッチフレーズ領域
１３        情報提供会社表示領域
１４        シンボルマーク領域
１５        錘
２０        大型カラー表示装置
３０        大型スクリーン
３１        映写機
３２        携帯電話
４０        透明ビニールシート
４１        ショウウインドウ
５０        壁面
【図１】
2008084093.tif 000003
【図４】
2008084093.tif 000004
【図５】
2008084093.tif 000005
【図６】
2008084093.tif 000006
【図７】
2008084093.tif 000007
【図８】
2008084093.tif 000008
【図９】
2008084093.tif 000009
【図１０】
2008084093.tif 000010
【図２】
2008084093.tif 000011
【図３】
2008084093.tif 000012